(57)【要約】【課題】本発明は、外光反射を効果的に抑制して、視認性を向上させ、有機発光素子から外部に放出される光の損失を最少化した、有機発光表示装置を提供する。【解決手段】本発明による有機発光表示装置は、互いに離隔された複数の画素領域と前記複数の画素領域の間に位置する非画素領域とに区分された第１基板本体と、前記複数の画素領域ごとに各々形成された複数の有機発光素子と、前記有機発光素子上に離隔配置されて、前記第１基板本体と合着密封された第２基板本体と、前記非画素領域と対向する前記第２基板本体の一側に形成された選択的光吸収層とを含み、前記選択的光吸収層は、外部から流入されて前記有機発光素子に反射された外光が有する色成分のうちの最も多い色成分に相当する色の光を選択的に吸収する。【選択図】図１
2011029137.tif 000002
【特許請求の範囲】
【請求項１】
互いに離隔された複数の画素領域と前記複数の画素領域の間に位置する非画素領域とに区分された第１基板本体と、
前記複数の画素領域ごとに各々形成された複数の有機発光素子と、
前記有機発光素子上に離隔配置されて、前記第１基板本体と合着密封された第２基板本体と、
前記非画素領域と対向する前記第２基板本体の一側に形成された選択的光吸収層とを含み、
前記選択的光吸収層は、外部から流入されて前記有機発光素子に反射された外光が有する色成分のうちの最も多い色成分に相当する色の光を選択的に吸収することを特徴とする、有機発光表示装置。
【請求項２】
互いに離隔された複数の画素領域と前記複数の画素領域の間に位置する非画素領域とに区分された第１基板本体と、
前記複数の画素領域ごとに各々形成された複数の有機発光素子と、
前記有機発光素子上に離隔配置されて、前記第１基板本体と合着密封された第２基板本体と、
前記非画素領域と対向する前記第２基板本体の一側に形成された選択的光吸収層とを含み、
外部から流入されていずれか一つの前記有機発光素子で反射された外光が有する色と前記いずれか一つの有機発光素子の周辺を囲むように配置された前記選択的光吸収層が有する色とは、互いに混合されると各々の色より明度が低くなることを特徴とする、有機発光表示装置。
【請求項３】
外部から流入されていずれか一つの前記有機発光素子で反射された外光が有する色と前記いずれか一つの有機発光素子の周辺を囲むように配置された前記選択的光吸収層が有する色とは、減算混合上で互いに補色関係であることを特徴とする、請求項２に記載の有機発光表示装置。
【請求項４】
前記複数の有機発光素子は、二つ以上の色のうちのいずれか一色の光を各々放出することを特徴とする、請求項１乃至３のうちの何れか一つに記載の有機発光表示装置。
【請求項５】
前記選択的光吸収層は、二つ以上の色のうちのいずれか一色の光を各々吸収する複数の光吸収領域に区分されることを特徴とする、請求項４に記載の有機発光表示装置。
【請求項６】
いずれか一色の光を吸収するいずれか一つの前記光吸収領域は、前記いずれか一色の光を最も多く反射するいずれか一つの前記有機発光素子の周辺を囲むように配置されることを特徴とする、請求項５に記載の有機発光表示装置。
【請求項７】
前記複数の有機発光素子が各々放出する光の色は、赤色系、緑色系、及び青色系の三原色を含むことを特徴とする、請求項５に記載の有機発光表示装置。
【請求項８】
赤色系の光を放出する前記有機発光素子は、緑色系の光を相対的に最も多く反射し、
緑色系の光を放出する前記有機発光素子は、青色系の光を相対的に最も多く反射し、
青色系の光を放出する前記有機発光素子は、赤色系の光を相対的に最も多く反射することを特徴とする、請求項７に記載の有機発光表示装置。
【請求項９】
前記複数の光吸収領域は、緑色系の光を吸収する第１光吸収領域、青色系の光を吸収する第２光吸収領域、及び赤色系の光を吸収する第３光吸収領域を含むことを特徴とする、請求項８に記載の有機発光表示装置。
【請求項１０】
前記第１光吸収領域は、赤色系の光を放出する前記有機発光素子の周辺を囲むように配置されることを特徴とする、請求項９に記載の有機発光表示装置。
【請求項１１】
前記第１光吸収領域の前記選択的光吸収層は、紫紅色系の色を有するカラーフィルターであることを特徴とする、請求項１０に記載の有機発光表示装置。
【請求項１２】
前記第２光吸収領域は、緑色系の光を放出する前記有機発光素子の周辺を囲むように配置されることを特徴とする、請求項９に記載の有機発光表示装置。
【請求項１３】
前記第２光吸収領域の前記選択的光吸収層は、黄色系の色を有するカラーフィルターであることを特徴とする、請求項１２に記載の有機発光表示装置。
【請求項１４】
前記第３光吸収領域は、青色系の光を放出する前記有機発光素子の周辺を囲むように配置されることを特徴とする、請求項９に記載の有機発光表示装置。
【請求項１５】
前記第３光吸収領域の前記選択的光吸収層は、青緑色系の色を有するカラーフィルターであることを特徴とする、請求項１４に記載の有機発光表示装置。
【請求項１６】
前記画素領域と対向する前記第２基板本体の一側に形成された色純度向上層をさらに含むことを特徴とする、請求項１乃至３のうちの何れか一つに記載の有機発光表示装置。
【請求項１７】
前記色純度向上層は、対向する前記有機発光素子が放出する光の色と同一な色を有するカラーフィルターであることを特徴とする、請求項１６に記載の有機発光表示装置。
【請求項１８】
前記選択的光吸収層は、互いに異なる色を有して積層された第１色層及び第２色層から形成され、前記選択的光吸収層は、前記第１色層の色及び前記第２色層の色が混合された色を有することを特徴とする、請求項１７に記載の有機発光表示装置。
【請求項１９】
前記色純度向上層は、前記選択的光吸収層の前記第１色層と共に形成されることを特徴とする、請求項１８に記載の有機発光表示装置。
【発明の詳細な説明】
【技術分野】
【０００１】
本発明は有機発光表示装置に関し、より詳しくは、外光反射を効果的に抑制して、表示特性を向上させた有機発光表示装置に関するものである。
【背景技術】
【０００２】
有機発光表示装置（ｏｒｇａｎｉｃ  ｌｉｇｈｔ  ｅｍｉｔｔｉｎｇ  ｄｉｏｄｅ  ｄｉｓｐｌａｙ）は、自発光特性を有し、液晶表示装置（ＬＣＤ）とは異なって別途の光源が不要であるため、厚さ及び重量を減らすことができる。また、有機発光表示装置は、低い消費電力、高い輝度、及び高い反応速度などの高品位特性を有するため、携帯用電子機器の次世代表示装置として注目されている。
【０００３】
一般に、有機発光表示装置が有する有機発光素子の正孔注入電極及び電子注入電極のうちの一つ以上の電極及びその他の多くの金属配線は、外部から流入される光を反射する。従って、有機発光表示装置が明るい所で用いられる時に、外光反射によって黒色の表示及びコントラストが不良になる問題がある。
【０００４】
このような問題を解決するために、偏光板及び位相遅延板を有機発光素子上に配置して、外光反射を抑制する構成がある。しかし、偏光板及び位相遅延板によって外光反射を抑制する従来の方法は、有機発光層から発生した光も偏光板及び位相遅延板を通過して外部に放出される時に相当部分が共に損失される問題がある。
【発明の概要】
【発明が解決しようとする課題】
【０００５】
本発明は、前述した背景技術の問題を解決するためのものであって、本発明の目的は、外光反射を効果的に抑制して、視認性を向上させ、有機発光素子から外部に放出される光の損失を最少化した有機発光表示装置を提供することである。
【課題を解決するための手段】
【０００６】
本発明の第１実施形態による有機発光表示装置は、互いに離隔された複数の画素領域と前記複数の画素領域の間に位置する非画素領域とに区分された第１基板本体と、前記複数の画素領域ごとに各々形成された複数の有機発光素子と、前記有機発光素子上に離隔配置されて、前記第１基板本体と合着密封された第２基板本体と、前記非画素領域と対向する前記第２基板本体の一側に形成された選択的光吸収層とを含み、前記選択的光吸収層は、外部から流入されて前記有機発光素子に反射された外光が有する色成分のうちの最も多い色成分に相当する色の光を選択的に吸収する。
【０００７】
また、本発明の第２実施形態による有機発光表示装置は、互いに離隔された複数の画素領域と前記複数の画素領域の間に位置する非画素領域とに区分された第１基板本体と、前記複数の画素領域ごとに各々形成された複数の有機発光素子と、前記有機発光素子上に離隔配置されて、前記第１基板本体と合着密封された第２基板本体と、前記非画素領域と対向する前記第２基板本体の一側に形成された選択的光吸収層とを含み、外部から流入されていずれか一つの前記有機発光素子で反射された外光が有する色と前記のいずれか一つの有機発光素子の周辺を囲むように配置された前記選択的光吸収層が有する色とは、互いに混合されると各々の色より明度が低くなる。
【０００８】
そして、外部から流入されていずれか一つの前記有機発光素子で反射された外光が有する色と前記いずれか一つの有機発光素子の周辺を囲むように配置された前記選択的光吸収層が有する色とは、減算混合上で互いに補色関係である。
【０００９】
前記有機発光表示装置において、前記複数の有機発光素子は、二つ以上の色のうちのいずれか一色の光を各々放出する。
【００１０】
前記選択的光吸収層は、二つ以上の色のうちのいずれか一色の光を各々吸収する複数の光吸収領域に区分される。
【００１１】
いずれか一色の光を吸収する一つの前記光吸収領域は、前記いずれか一色の光を最も多く反射するいずれか一つの前記有機発光素子の周辺を囲むように配置される。
【００１２】
前記複数の有機発光素子が各々放出する光の色は、赤色（ｒｅｄ）系、緑色（ｇｒｅｅｎ）系、及び青色（ｂｌｕｅ）系の三原色を含むことができる。
【００１３】
赤色系の光を放出する前記有機発光素子は、緑色系の光を相対的に最も多く反射し、緑色系の光を放出する前記有機発光素子は、青色系の光を相対的に最も多く反射し、青色系の光を放出する前記有機発光素子は、赤色系の光を相対的に最も多く反射する。
【００１４】
前記複数の光吸収領域は、緑色系の光を吸収する第１光吸収領域と、青色系の光を吸収する第２光吸収領域と、赤色系の光を吸収する第３光吸収領域とを含むことができる。
【００１５】
前記第１光吸収領域は、赤色系の光を放出する前記有機発光素子の周辺を囲むように配置される。
【００１６】
前記第１光吸収領域の前記選択的光吸収層は、紫紅色（ｍａｇｅｎｔａ）系の色を有するカラーフィルターでありうる。
【００１７】
前記第２光吸収領域は、緑色系の光を放出する前記有機発光素子の周辺を囲むように配置される。
【００１８】
前記第２光吸収領域の前記選択的光吸収層は、黄色（ｙｅｌｌｏｗ）系の色を有するカラーフィルターでありうる。
【００１９】
前記第３光吸収領域は、青色系の光を放出する前記有機発光素子の周辺を囲むように配置される。
【００２０】
前記第３光吸収領域の前記選択的光吸収層は、青緑色（ｃｙａｎ）系の色を有するカラーフィルターでありうる。
【００２１】
前記有機発光表示装置において、前記画素領域と対向する前記第２基板本体の一側に形成された色純度向上層をさらに含むことができる。
【００２２】
前記色純度向上層は、対向する前記有機発光素子が放出する光の色と同一な色を有するカラーフィルターでありうる。
【００２３】
前記選択的光吸収層は、互いに異なる色を有して積層された第１色層及び第２色層から形成され、前記選択的光吸収層は、前記第１色層の色及び前記第２色層の色が混合された色を有する。
【００２４】
前記色純度向上層は、前記選択的光吸収層の前記第１色層と共に形成される。
【発明の効果】
【００２５】
本発明の実施形態によれば、有機発光表示装置は、外光反射を効果的に抑制して、視認性が向上し、有機発光素子から外部に放出される光の損失を最少化することができる。
【００２６】
また、有機発光表示装置は、向上した広視野角を有することができる。
【図面の簡単な説明】
【００２７】
【図１】本発明の第１実施形態による有機発光表示装置の断面図である。
【図２】図１の有機発光表示装置の内部構造を拡大して示した配置図である。
【図３】図２のＩＩＩ-ＩＩＩ線による断面図である。
【図４】本発明の第２実施形態による有機発光表示装置の断面図である。
【図５】本発明の第１実施形態による実験例及び比較例の視野角を示したグラフである。
【発明を実施するための形態】
【００２８】
以下、添付図面を参照して、本発明の実施形態について、本発明が属する技術分野で通常の知識を有する者が容易に実施できるように詳しく説明する。しかし、本発明は、多様な形態に具現され、ここで説明する実施形態に限られない。
【００２９】
また、多様な実施形態において、同一な構成を有する構成要素については同一な符号を使用して代表的に第１実施形態で説明し、その他の第２実施形態では第１実施形態と異なった構成についてのみ説明する。
【００３０】
本発明を明確に説明するために、説明に不要な部分は省略し、明細書全体にわたって同一または類似した構成要素については、同一な参照符号を付けた。
【００３１】
また、図面に示した各構成の大きさ及び厚さは、説明の便宜のために任意に示したものであるため、本発明が必ずしも示されたものに限られるのではない。
【００３２】
図面では、多様な層及び領域を明確に表示するために、厚さを拡大して示した。そして、図面においては、説明の便宜のために、一部の層及び領域の厚さを誇張して示した。層、膜、領域、板などの部分がある部分の「上」または「上部」にあるという時、これはある部分の「直上」にある場合だけでなく、その中間にまた他の部分がある場合も含む。
【００３３】
以下、図１を参照して、本発明の第１実施形態について説明する。
【００３４】
図１に示したように、本発明の第１実施形態による有機発光表示装置１０１は、表示基板１１０及び表示基板１１０と合着密封された封止基板２１０を含む。
【００３５】
表示基板１１０は、第１基板本体１１１、駆動回路部（ＤＣ）、及び有機発光素子７０を含む。
【００３６】
第１基板本体１１１は、ガラス、石英、セラミックス、及びプラスチックなどから構成された絶縁性基板で形成される。しかし、本発明の第１実施形態がこれに限定されるのではなく、第１基板本体１１１がステンレス鋼などから構成された金属性基板で形成されてもよい。
【００３７】
また、第１基板本体１１１は、互いに離隔された複数の画素領域と、複数の画素領域の間に位置する非画素領域とに区分される。
【００３８】
駆動回路部（ＤＣ）は、第１基板本体１１１上に形成される。駆動回路部（ＤＣ）は、薄膜トランジスター１０、２０（図５に図示）を含み、有機発光素子７０を駆動する。
【００３９】
有機発光素子７０は、複数の画素領域ごとに各々形成されて、駆動回路部（ＤＣ）から伝達された駆動信号によって光を放出する。有機発光素子７０は、アノード（ａｎｏｄｅ）の役割を果たす画素電極７１０、カソード（ｃａｔｈｏｄｅ）の役割を果たす共通電極７３０、そして画素電極７１０と共通電極７３０との間に配置された有機発光層７２０を含む。画素電極７１０、有機発光層７２０、及び共通電極７３０は、第１基板本体１１１の画素領域上に順次に積層される。
【００４０】
複数の画素領域ごとに各々形成された複数の有機発光素子７０は、二つ以上の色のうちのいずれか一色の光を各々放出する。本発明の第１実施形態において、複数の有機発光素子７０は、各々赤色（ｒｅｄ）系、緑色（ｇｒｅｅｎ）系、及び青色（ｂｌｕｅ）系の三原色のうちのいずれか一色の光を放出する。しかし、本発明の第１実施形態が必ずしもこれに限定されるのではない。
【００４１】
また、表示基板１１０は、画素定義膜１９０をさらに含む。画素定義膜１９０は、有機発光素子７０の画素電極７１０を露出する開口部を有する。つまり、画素定義膜１９０は、第１基板本体１１１の非画素領域と対応し、画素定義膜１９０の開口部は、第１基板本体１１１の画素領域と対応する。
【００４２】
有機発光素子７０及び駆動回路部（ＤＣ）の具体的な構造が図２及び図３に示されているが、本発明の第１実施形態が図２及び図３に示された構造に限定されるのではない。有機発光素子７０及び駆動回路部（ＤＣ）は、当該技術分野の従事者が容易に変形実施できる範囲内で多様な構造に形成することができる。
【００４３】
また、本発明の第１実施形態において、有機発光素子７０は、封止基板２１０方向に光を放出して、画像を表示する。つまり、有機発光表示装置１０１は、前面発光型の構造を有する。
【００４４】
封止基板２１０は、第２基板本体２１１及び選択的光吸収層２３０を含む。また、封止基板２１０は、色純度向上層２２０をさらに含む。
【００４５】
第２基板本体２１１は、ガラス、石英、セラミックス、及びプラスチックなどから構成された透明な絶縁性基板で形成される。そして、第２基板本体２１１は、有機発光素子７０上に離隔配置されて、シラント（図示せず）によって第１基板本体１１１と合着密封される。シラント（図示せず）は、表示基板１１０及び封止基板２１０の周縁に沿って両基板１１０、２１０の間に配置される。
【００４６】
選択的光吸収層２３０は、第１基板本体１１１の非画素領域と対向する第２基板本体２１１の一側に形成される。つまり、選択的光吸収層２３０は、画素定義膜１９０と対向する。
【００４７】
選択的光吸収層２３０は、外部から流入されて有機発光素子７０で反射された外光が有する色成分のうちの最も多い色成分に相当する色の光を選択的に吸収する。そして、選択的光吸収層２３０は、二つ以上の色のうちのいずれか一色の光を各々吸収する複数の光吸収領域２３１、２３２、２３３に区分される。本発明の第１実施形態において、選択的光吸収層２３０は、第１光吸収領域２３１、第２光吸収領域２３２、及び第３光吸収領域２３３に区分される。しかし、本発明の第１実施形態がこれに限定されるのではない。従って、選択的光吸収層２３０は、二つまたは四つ以上の光吸収領域に区分されてもよい。
【００４８】
図１において、点線で表示された矢印は光の進行方向を示し、アルファベットの大文字で表示された参照符号（Ｒ、Ｇ、Ｂ、Ｍ、Ｙ、Ｃ）は各々色相の頭文字を示す。つまり、Ｒは赤色、Ｇは緑色、Ｂは青色、Ｍは紫紅色、Ｙは黄色、Ｃは青緑色を各々示す。
【００４９】
外部から封止基板２１０を通過して流入された光は、有機発光素子７０の共通電極７３０または画素電極７２０で反射される。本発明の第１実施形態による有機発光表示装置１０１は、前面発光型であるため、外部から流入された光は反射物質から形成される画素電極７１０で大部分が反射される。この時、反射された外光は有機発光層を通過するため、各々の有機発光素子７０は、当該有機発光層７２０が放出する光が有する色によって特定の波長帯域の光を相対的に多く反射するようになる。
【００５０】
具体的には、赤色系の光を放出する有機発光素子７０は、相対的に緑色系の光を最も多く反射する。緑色系の光を放出する有機発光素子７０は、相対的に青色系の光を最も多く反射する。そして、青色系の光を放出する有機発光素子７０は、相対的に赤色系の光を最も多く反射する。
【００５１】
従って、光吸収領域２３１、２３２、２３３のうちのいずれか一色の光を吸収するいずれか一つの光吸収領域は、いずれか一色の光を相対的に最も多く反射するいずれか一つの有機発光素子７０の周辺を囲むように配置される。
【００５２】
具体的には、第１光吸収領域２３１は、緑色系の光を吸収し、赤色系の光を放出する有機発光素子７０の周辺を囲むように配置される。この時、第１光吸収領域２３１の選択的光吸収層２３０は、紫紅色（ｍａｇｅｎｔａ）系の色を有するカラーフィルターで形成される。
【００５３】
また、第２光吸収領域２３２は、青色系の光を吸収し、緑色系の光を放出する有機発光素子７０の周辺を囲むように配置される。この時、第２光吸収領域２３２の選択的光吸収層２３０は、黄色（ｙｅｌｌｏｗ）系の色を有するカラーフィルターで形成される。
【００５４】
また、第３光吸収領域２３３は、赤色系の光を吸収し、青色系の光を放出する有機発光素子７０の周辺を囲むように配置される。この時、第３光吸収領域２３３の選択的光吸収層２３０は、青緑色（ｃｙａｎ）系の色を有するカラーフィルターで形成される。
【００５５】
また、選択的光吸収層２３０は、当該技術分野の従事者に公知された多様な種類のカラーフィルターで形成される。
【００５６】
このような構成によって、本発明の第１実施形態による有機発光表示装置１０１は、外光反射を効果的に抑制することができる。つまり、選択的光吸収層２３０は、各画素領域ごとに有機発光素子７０で反射された特定の波長帯域の外光を選別的に吸収することによって、有機発光素子７０が放出する光を失わずに、効果的に外光反射を抑制することができる。
【００５７】
また、本発明の第１実施形態において、選択的光吸収層２３０が各々の光吸収領域２３１、２３２、２３３で有する色は、前述したものに限定されるのではない。従って、外部から流入されていずれか一つの有機発光素子７０で反射された外光が有する色と当該有機発光素子７０の周辺を囲むように配置された選択的光吸収層２３０が有する色とが互いに混合されると各々の色より明度が低くなる範囲内で、選択的光吸収層は多様な色を有する。
【００５８】
特に、外部から流入されていずれか一つの有機発光素子７０で反射された外光が有する色と当該有機発光素子７０の周辺を囲むように配置された選択的光吸収層２３０が有する色とは、減算混合上で互いに補色関係であるのが、外光反射抑制に最も効果的である。
【００５９】
また、色純度向上層２２０は、第１基板本体１１１の画素領域と対向する第２基板本体２１１の一側に形成される。つまり、色純度向上層２２０は、画素定義膜１９０の開口部と対向し、有機発光素子７０の有機発光層７２０と対向する。色純度向上層２２０は、対向する有機発光素子７０が放出する光の色と同一な色を有するカラーフィルターで形成される。
【００６０】
具体的には、色純度向上層２２０は、赤色系の光を放出する有機発光素子７０と対向する第１色純度向上層２２１、緑色系の光を放出する有機発光素子７０と対向する第２色純度向上層２２２、及び青色系の光を放出する有機発光素子７０と対向する第３色純度向上層２２３を含む。また、第１色純度向上層２２１は赤色カラーフィルターで形成され、第２色純度向上層２２２は緑色カラーフィルターで形成され、第３色純度向上層２２３は青色カラーフィルターで形成される。
【００６１】
このような色純度向上層２２０は、有機発光素子７０が放出する光に外光が混合されて不良になるのを防止する。また、色純度向上層２２０は、色純度向上層２２０が有する色以外の不要な光を吸収するため、外光反射を抑制する効果もある。
【００６２】
このように、本発明の第１実施形態による有機発光表示装置１０１は、外光反射を効果的に抑制して、視認性を向上させることができる。また、有機発光素子７０が放出する光の損失を最少化して、有機発光表示装置１０１の電力消耗を減らして寿命を向上させることができる。
【００６３】
また、外光反射を抑制するために選択的光吸収層２３０の代わりに黒色の遮光層を形成した場合と比較して、本発明の第１実施形態による有機発光表示装置１０１は、向上した広視野角を有する。遮光層はすべての光を遮断するが、選択的光吸収層２３０は選択的に光を吸収するため、視野角を向上させることができる。
【００６４】
以下、図２及び図３を参照して、有機発光表示装置１０１の内部構造について詳しく説明する。図２は表示基板１１０を中心に画素の構造を示した配置図であり、図３は図２のＩＩＩ-ＩＩＩ線により表示基板１１０及び封止基板２１０を切断して共に示した断面図である。
【００６５】
また、図２及び図３においては、一つの画素に二つの薄膜トランジスター（ｔｈｉｎ  ｆｉｌｍ  ｔｒａｎｓｉｓｔｏｒ、ＴＦＴ）及び一つの蓄電素子（ｃａｐａｃｉｔｏｒ）を備えた２Ｔｒ-１Ｃａｐ構造の能動駆動（ａｃｔｉｖｅ  ｍａｔｒｉｘ、ＡＭ）型有機発光表示装置１０１を示しているが、本発明の第１実施形態がこれに限定されるのではない。従って、有機発光表示装置１０１は、一つの画素に三つ以上の薄膜トランジスター及び二つ以上の蓄電素子を備えてもよく、別途の配線がさらに形成されて、多様な構造に形成される。ここで、画素は、画像を表示する最小単位を言い、有機発光表示装置１０１は、複数の画素によって画像を表示する。
【００６６】
図２及び図３に示したように、表示基板１１０は、一つの画素ごとに各々形成されたスイッチング薄膜トランジスター１０、駆動薄膜トランジスター２０、蓄電素子８０、そして有機発光素子（ＯＬＥＤ）７０を含む。ここで、スイッチング薄膜トランジスター１０、駆動薄膜トランジスター２０、及び蓄電素子８０を含む構成を駆動回路部（ＤＣ）という。そして、表示基板１１０は、一方向に沿って配置されるゲートライン１５１、ゲートライン１５１と絶縁交差されるデータライン１７１、及び共通電源ライン１７２をさらに含む。
【００６７】
一つの画素は、ゲートライン１５１、データライン１７１、及び共通電源ライン１７２を境界として定義されるが、必ずしもこれに限定されるのではない。
【００６８】
有機発光素子７０は、画素電極７１０と、画素電極７１０上に形成された有機発光層７２０と、有機発光層７２０上に形成された共通電極７３０とを含む。ここで、画素電極７１０は正孔注入電極である正（＋）極となり、共通電極７３０は電子注入電極である負（-）極となる。しかし、本発明の第１実施形態が必ずしもこれに限定されるのではなく、有機発光表示装置１０１の駆動方法によって、画素電極７１０が負極となり、共通電極７３０が正極となってもよい。画素電極７１０及び共通電極７３０から各々正孔及び電子が有機発光層７２０の内部に注入される。注入された正孔及び電子が結合した励起子（ｅｘｉｔｏｎ）が励起状態から基底状態に落ちる時に発光が行われる。
【００６９】
また、画素領域は、画素定義膜１９０の開口部で定義され、有機発光層７２０が実際に発光する領域をいう。
【００７０】
また、本発明の第１実施形態による有機発光表示装置１０１において、有機発光素子７０は、封止基板２１０方向に光を放出する。ここで、有機発光素子７０が封止基板２１０方向に光を放出するために、画素電極７１０には反射型電極が用いられ、共通電極７３０には透過型または半透過型電極が用いられる。
【００７１】
蓄電素子８０は、層間絶縁膜１６０を間において配置された一対の蓄電板１５８、１７８を含む。ここで、層間絶縁膜１６０は誘電体となる。蓄電素子８０で蓄電された電荷及び両蓄電板１５８、１７８の間の電圧によって蓄電容量が決定される。
【００７２】
スイッチング薄膜トランジスター１０は、スイッチング半導体層１３１、スイッチングゲート電極１５２、スイッチングソース電極１７３、及びスイッチングドレイン電極１７４を含む。駆動薄膜トランジスター２０は、駆動半導体層１３２、駆動ゲート電極１５５、駆動ソース電極１７６、及び駆動ドレイン電極１７７を含む。
【００７３】
スイッチング薄膜トランジスター１０は、発光させようとする画素を選択するスイッチング素子として用いられる。スイッチングゲート電極１５２は、ゲートライン１５１と接続される。スイッチングソース電極１７３は、データライン１７１と接続される。スイッチングドレイン電極１７４は、スイッチングソース電極１７３から離隔配置されて、いずれか一つの蓄電板１５８と接続される。
【００７４】
駆動薄膜トランジスター２０は、選択した画素内の有機発光素子７０の有機発光層７２０を発光させるための駆動電源を画素電極７１０に印加する。駆動ゲート電極１５５は、スイッチングドレイン電極１７４と接続された蓄電板１５８と接続される。駆動ソース電極１７６及び他の蓄電板１７８は、各々共通電源ライン１７２と接続される。駆動ドレイン電極１７７は、コンタクトホール（ｃｏｎｔａｃｔ  ｈｏｌｅ）を通して有機発光素子７０の画素電極７１０と接続される。
【００７５】
このような構造によって、スイッチング薄膜トランジスター１０は、ゲートライン１５１に印加されるゲート電圧によって作動して、データライン１７１に印加されるデータ電圧を駆動薄膜トランジスター２０に伝達する役割を果たす。共通電源ライン１７２から駆動薄膜トランジスター２０に印加される共通電圧及びスイッチング薄膜トランジスター１０から伝達されたデータ電圧の差に相当する電圧が蓄電素子８０に保存されて、蓄電素子８０に保存された電圧に対応する電流が駆動薄膜トランジスター２０を通じて有機発光素子７０に流れて、有機発光素子７０が発光される。
【００７６】
有機発光素子７０上には、図３に示したように、封止基板２１０が配置されて、有機発光素子７０を保護する。
【００７７】
以下、図４を参照して、本発明の第２実施形態について説明する。
【００７８】
図４に示したように、本発明の第２実施形態による有機発光表示装置１０２は、選択的光吸収層２４０が多層構造に形成される。選択的光吸収層２４０は、互いに異なる色を有して積層された第１色層２４１１、２４２１、２４３１及び第２色層２４１２、２４２２、２４３２から形成される。結果的に、選択的光吸収層２４０は、第１色層２４１１、２４２１、２４３１の色及び第２色層２４１２、２４２２、２４３２の色が混合された色を有する。
【００７９】
選択的光吸収層２４０は、複数の光吸収領域２４１、２４２、２４３に区分され、各光吸収領域２４１、２４２、２４３ごとに各々互いに異なる色の第１色層２４１１、２４２１、２４３１及び第２色層２４１２、２４２２、２４３２が混合された色を有する。
【００８０】
また、色純度向上層２２０は、赤色系の光を放出する有機発光素子７０と対向する第１色純度向上層２２１、緑色系の光を放出する有機発光素子７０と対向する第２色純度向上層２２２、そして青色系の光を放出する有機発光素子７０と対向する第３色純度向上層２２３を含む。そして、第１色純度向上層２２１は赤色カラーフィルターで形成され、第２色純度向上層２２２は緑色カラーフィルターで形成され、第３色純度向上層２２３は青色カラーフィルターで形成される。
【００８１】
また、各々の色純度向上層２２１、２２２、２２３は、選択的光吸収層２４０の第１色層２４１１、２４２１、２４３１と共に一体に形成される。
【００８２】
具体的には、赤色系の光を放出する有機発光素子７０上には赤色系の色を有するカラーフィルターで形成された色純度向上層２２１が対向配置される。そして、当該有機発光素子７０の周辺を囲む第１光吸収領域２４１の選択的光吸収層２４０は、色純度向上層２２１と同一な素材で共に形成された第１色層２４１１と青色系の色を有するカラーフィルターで形成された第２色層２４１２とが積層された構造を有する。従って、選択的光吸収層２４０は、赤色系の色及び青色系の色が混色されて、紫紅色系の色を有するようになる。
【００８３】
また、第１光吸収領域２４１の選択的光吸収層２４０と同一な方法で第２光吸収領域２４２及び第３光吸収領域２４３の選択的光吸収層２４０も形成される。
【００８４】
このような構成によって、本発明の第２実施形態による有機発光表示装置１０２は、選択的光吸収層２４０及び色純度向上層２２０をより効果的に形成することができる。従って、有機発光表示装置１０２は、外光反射を効果的に抑制して、視認性及び視野角を向上させると同時に、生産性も向上させることができる。
【００８５】
以下、図５を参照して、実験例及び比較例を説明する。
【００８６】
実験例は、本発明の第１実施形態により画素領域ごとに選択的に特定の波長帯域の光を吸収する選択的光吸収層２３０を含む有機発光表示装置である。比較例は、実験例の選択的光吸収層２３０の代わりに形成された黒色の遮光層を含む有機発光表示装置である。
【００８７】
本実験において、視野角は、有機発光表示装置を正面から見た角度を０度とし、側面から見た角度を９０度とした。
【００８８】
図５に示したように、視野角が４０度より大きくなり始めると、黒色の遮光層を用いた比較例の場合は、遮光層によって光が完全に遮断されて、視認性が急激に低下することが分かる。
【００８９】
一方、選択的光吸収層２３０を用いた実験例の場合は、反射された外光が有する特定の波長帯域の光だけを選択的に吸収して、すべての光を遮断するのではないため、視野角が４０度より大きくなっても、比較例に比べて視認性が緩やかに低下することが分かる。
【００９０】
このように、本実験を通して、本発明の第１実施形態による実験例が比較例と比較して向上した視認性及び広視野角を有することが分かる。
【００９１】
以上で、本発明の望ましい実施形態について説明したが、本発明はこれに限定されず、特許請求の範囲の概念及び範囲を逸脱しない限り、多様な修正及び変形が可能であることを、本発明が属する技術分野に携わる者であれば簡単に理解することができる。
【符号の説明】
【００９２】
１０１      有機発光表示装置
１０、２０      薄膜トランジスター
１１０      表示基板
１１１，２１１      基板本体
１３１      スイッチング半導体層
１３２      駆動半導体層
１５１      ゲートライン
１５２      スイッチングゲート電極
１５５      駆動ゲート電極
１５８、１７８      蓄電板
１６０      層間絶縁膜
１７１      データライン
１７２      共通電源ライン
１７３      スイッチングソース電極
１７４      スイッチングドレイン電極
１７６      駆動ソース電極
１７７      駆動ドレイン電極
１９０      画素定義膜
２１０      封止基板
２３０      選択的光吸収層
２２０，２２２，２２３      色純度向上層
２３１、２３２、２３３      光吸収領域
２４０      選択的光吸収層
２４１１、２４２１、２４３１      第１色層
２４１２、２４２２、２４３２      第２色層
７０        有機発光素子
７１０      画素電極
７２０      有機発光層
７３０      共通電極
８０        蓄電素子
ＤＣ        駆動回路部
【図１】
2011029137.tif 000003
【図２】
2011029137.tif 000004
【図３】
2011029137.tif 000005
【図４】
2011029137.tif 000006
【図５】
2011029137.tif 000007